(57)【要約】【課題】着信があったことを移動通信機器の使用者に知らせるために着信音の音量やバイブレータの振動量を制御する着信動作制御装置および方法に関し、着信時に判定される移動通信機器の移動状態に応じて着信音の音量や振動量を設定することを目的とする。【解決手段】位置測位センサ６と振動センサ７により検出可能な位置測位検出パターンと振動検出パターンとの組み合わせを記録し、この組み合わせに対する移動状態を登録し、この移動状態に応じた着信動作パターンを登録する移動状態／着信動作パターン登録部１と、着信時に検出された位置測位検出パターンと振動検出パターンにより移動状態を判定する移動状態判定部２と、この判定結果に従って、移動状態に対応する着信動作パターンを選択する着信動作パターン選択部３と、この選択結果に従って、着信動作パターンに対応する着信音の音量や振動量を設定する着信音音量／振動量設定部４とを備える。【選択図】図１
2007300346.tif 000002
【特許請求の範囲】
【請求項１】
移動通信機器内の位置測位センサにより検出され得る移動通信機器の位置に関する位置測位検出パターンと、前記移動通信機器内の振動センサにより検出され得る振動のレベルに関する振動検出パターンとの任意の組み合わせパターンを記録し、前記組み合わせパターンに対する前記移動通信機器の移動状態を予め登録し、かつ、前記移動状態に応じた着信動作パターンを予め登録しておく移動状態／着信動作パターン登録部と、
前記移動通信機器にて着信が生じたときに、前記位置測位検出パターンおよび前記振動センサによりそれぞれ検出された位置測位検出パターンおよび振動検出パターンに基づいて、前記移動通信機器の移動状態を判定する移動状態判定部と、
前記移動状態判定部による判定結果に基づいて、前記移動状態に対応する着信動作パターンを前記移動状態／着信動作パターン登録部から選択する着信動作パターン選択部と、
前記着信動作パターン選択部による選択結果に基づいて、前記着信動作パターンに対応する前記移動通信機器の着信音の音量および振動量の少なくとも一方を設定する着信音音量／振動量設定部とを備えることを特徴とする着信動作制御装置。
【請求項２】
移動通信機器内の位置測位センサにより検出され得る移動通信機器の位置に関する位置測位測定パターンと、前記移動通信機器内の振動センサにより検出され得る振動のレベルに関する振動測定パターンとの任意の組み合わせパターンを記録し、前記組み合わせパターンに対する前記移動通信機器の移動状態を予め登録し、かつ、前記移動状態に応じた着信動作パターンを予め登録しておく移動状態／着信動作パターン登録部と、
所定の期間毎に前記位置測位検出パターンおよび前記振動センサによりそれぞれ検出される位置測位検出パターンおよび振動検出パターンに基づいて、前記移動通信機器の移動状態を判定する移動状態判定部と、
前記移動通信機器にて着信が生じたときに、前記移動状態判定部による判定結果に基づいて、前記移動状態に対応する着信動作パターンを前記移動状態／着信動作パターン登録部から選択する着信動作パターン選択部と、
前記着信動作パターン選択部による選択結果に基づいて、前記着信動作パターンに対応する前記移動通信機器の着信音の音量および振動量の少なくとも一方を設定する着信音音量／振動量設定部とを備えることを特徴とする着信動作制御装置。
【請求項３】
移動通信機器の着信音の音量および振動量を制御して着信動作を実行するための着信動作制御方法であって、
移動通信機器内の位置測位センサにより検出され得る前記移動通信機器の位置に関する位置測位検出パターンと、前記移動通信機器内の振動センサにより検出され得る振動のレベルに関する振動検出パターンとの任意の組み合わせパターンを記録し、前記組み合わせパターンに対する前記移動通信機器の移動状態を予め登録し、かつ、前記移動状態に応じた着信動作パターンを予め登録しておくステップと、
前記移動通信機器にて着信が生じたときに、前記位置測位検出パターンおよび前記振動センサによりそれぞれ検出された位置測位検出パターンおよび振動検出パターンに基づいて、前記移動通信機器の移動状態を判定するステップと、
前記移動状態の判定結果に基づいて、前記移動状態に対応する着信動作パターンを選択するステップと、
前記着信動作パターンの選択結果に基づいて、前記着信動作パターンに対応する前記移動通信機器の着信音の音量および振動量の少なくとも一方を設定するステップとを有することを特徴とする着信動作制御方法。
【請求項４】
移動通信機器の着信音の音量および振動量を制御して着信動作を実行するための着信動作制御方法であって、
移動通信機器内の位置測位センサにより検出され得る前記移動通信機器の位置に関する位置測位測定パターンと、前記移動通信機器内の振動センサにより検出され得る振動のレベルに関する振動測定パターンとの任意の組み合わせパターンを記録し、前記組み合わせパターンに対する前記移動通信機器の移動状態を予め登録し、かつ、前記移動状態に応じた着信動作パターンを予め登録しておくステップと、
所定の期間毎に前記位置測位検出パターンおよび前記振動センサによりそれぞれ検出される位置測位検出パターンおよび振動検出パターンに基づいて、前記移動通信機器の移動状態を判定するステップと、
前記移動通信機器にて着信が生じたときに、前記移動状態の判定結果に基づいて、前記移動状態に対応する着信動作パターンを選択するステップと、
前記着信動作パターンの選択結果に基づいて、前記着信動作パターンに対応する前記移動通信機器の着信音の音量および振動量の少なくとも一方を設定するステップとを有することを特徴とする着信動作制御方法。
【請求項５】
移動通信機器内の位置測位センサにより検出され得る移動通信機器の位置に関する位置測位検出パターンと、前記移動通信機器内の振動センサにより検出され得る振動のレベルに関する振動検出パターンとの任意の組み合わせパターンに対する前記移動通信機器の移動状態が予め登録され、かつ、前記移動状態に応じた着信動作パターンが予め登録される場合、コンピュータに、
前記移動通信機器にて着信が生じたときに、前記位置測位検出パターンおよび前記振動センサによりそれぞれ検出された位置測位検出パターンおよび振動検出パターンに基づいて、移動通信機器の移動状態を判定し、
前記移動状態の判定結果に基づいて、前記移動状態に対応する着信動作パターンを選択し、
前記着信動作パターンの選択結果に基づいて、前記着信動作パターンに対応する前記移動通信機器の着信音の音量および振動量の少なくとも一方を設定することを実行させるためのプログラム。
【発明の詳細な説明】
【技術分野】
【０００１】
本発明は、携帯電話機や携帯端末装置等の移動通信機器に対して着信があったことを上記移動通信機器の使用者等に知らせるために、着信音の音量やバイブレータ等の振動量を適切に制御して着信動作を実行するための着信動作制御装置および着信動作制御方法に関する。
【背景技術】
【０００２】
Ｗ−ＣＤＭＡ（Wideband Code Division Multiple Access：広帯域符号分割多元接続）形式で使用されるような携帯電話機や携帯端末装置等の移動通信機器において、従来は、この移動通信機器の使用者（ユーザ）等が着信時の着信音の音量、着信音の種類、またはマナーモードにおけるバイブレータの振動量等を予め設定しておくように構成されている。このような構成の移動通信機器に対して着信があったときに、予め設定された着信音の音量、着信音の種類、またはバイブレータの振動量等に従って着信音を鳴動させたりバイブレータ等を振動させたりすることによって、着信があったことを使用者等に知らせることができる。
【０００３】
しかしながら、従来の移動通信機器においては、着信があったときに移動通信機器の使用者がどのような状況に置かれているかに関係なく、着信音の音量、着信音の種類、またはバイブレータの振動量等が予め設定されている。このため、移動通信機器の使用者が移動している最中である場合（例えば、使用者が歩行中または走行中である場合）、着信音を鳴動させたりバイブレータを振動させたりして着信があったことを知らせようとしても、移動通信機器の周囲の振動や周囲の雑音によって、使用者が着信音やバイブレータの振動に気がつかないという問題が発生していた。
【０００４】
ここで、参考のため、前述のような従来の移動通信機器に関連した下記の特許文献１〜特許文献３を先行技術文献として呈示する。
【０００５】
特許文献１においては、移動体通信端末自身の移動状況に応じて、予め設定された複数種の着信報知方法のうちの一つを自動的に選択するような移動体通信端末の構成が開示されている。
【０００６】
特許文献２においては、周囲の環境から振動が伝わってくるような場所においても、周囲からの振動とは異なる振動検出パターンを着信振動として設定することにより、周囲からの振動と着信振動とを区別することができるような個別選択呼出受信機の構成が開示されている。
【０００７】
特許文献３においては、予め指定された範囲に移動携帯端末がユーザと共に入ってきた場合、または、移動携帯端末が当該範囲から出た場合には、報知手段であるスピーカの音量、バイブレータのオン／オフまたは留守番電話のオン／オフ等を自動的に切り替え可能にするような移動携帯端末の構成が開示されている。
【０００８】
しかしながら、特許文献１〜特許文献３のいずれにおいても、移動通信機器に搭載されている位置測位センサ（例えば、ＧＳＰ（Global Positional System：全地球測位システム）センサ）および振動センサの機能の組み合わせにより移動通信機器の移動状態を自動的に判定し、さらに、この判定された移動状態に応じて着信音の音量またはバイブレータの振動量を自動的に設定するための具体的な手法には言及していない。したがって、特許文献１〜特許文献３のいずれにおいても、前述のような従来の移動通信機器と同様の問題が発生する。
【０００９】
【特許文献１】特開平５−１３６７２７号公報
【特許文献２】特開平９−１９１３３３号公報
【特許文献３】特開２００４−７２３１３号公報
【発明の開示】
【発明が解決しようとする課題】
【００１０】
本発明は上記問題点に鑑みてなされたものであり、着信時の移動通信機器の移動状態を自動的に判定し、さらに、この判定された移動状態に応じて着信音の音量またはバイブレータの振動量を自動的に設定することが可能な着信動作制御装置、着信動作制御方法およびそのためのプログラムを提供することを目的とするものである。
【課題を解決するための手段】
【００１１】
上記問題点を解決するために、本発明の一つの態様に係る着信動作制御装置は、移動通信機器内の位置測位センサにより検出され得る移動通信機器の位置に関する位置測位検出パターンと、上記移動通信機器内の振動センサにより検出され得る振動のレベルに関する振動検出パターンとの任意の組み合わせパターンを記録し、上記組み合わせパターンに対する上記移動通信機器の移動状態を予め登録し、かつ、上記移動状態に応じた着信動作パターンを予め登録しておく移動状態／着信動作パターン登録部と、上記移動通信機器にて着信が生じたときに、上記位置測位検出パターンおよび上記振動センサによりそれぞれ検出された位置測位検出パターンおよび振動検出パターンに基づいて、上記移動通信機器の移動状態を判定する移動状態判定部と、上記移動状態判定部による判定結果に基づいて、上記移動状態に対応する着信動作パターンを上記移動状態／着信動作パターン登録部から選択する着信動作パターン選択部と、上記着信動作パターン選択部による選択結果に基づいて、上記着信動作パターンに対応する上記移動通信機器の着信音の音量および振動量の少なくとも一方を設定する着信音音量／振動量設定部とを備える。
【００１２】
さらに、本発明の他の態様に係る着信動作制御装置は、移動通信機器内の位置測位センサにより検出され得る移動通信機器の位置に関する位置測位測定パターンと、上記移動通信機器内の振動センサにより検出され得る振動のレベルに関する振動測定パターンとの任意の組み合わせパターンを記録し、上記組み合わせパターンに対する上記移動通信機器の移動状態を予め登録し、かつ、上記移動状態に応じた着信動作パターンを予め登録しておく移動状態／着信動作パターン登録部と、所定の期間毎に上記位置測位検出パターンおよび上記振動センサによりそれぞれ検出される位置測位検出パターンおよび振動検出パターンに基づいて、上記移動通信機器の移動状態を判定する移動状態判定部と、上記移動通信機器にて着信が生じたときに、上記移動状態判定部による判定結果に基づいて、上記移動状態に対応する着信動作パターンを上記移動状態／着信動作パターン登録部から選択する着信動作パターン選択部と、上記着信動作パターン選択部による選択結果に基づいて、上記着信動作パターンに対応する上記移動通信機器の着信音の音量および振動量の少なくとも一方を設定する着信音音量／振動量設定部とを備える。
【００１３】
また一方で、本発明の一つの態様に係る着信動作制御方法は、移動通信機器の着信音の音量および振動量を制御して着信動作を実行する際に、移動通信機器内の位置測位センサにより検出され得る上記移動通信機器の位置に関する位置測位検出パターンと、上記移動通信機器内の振動センサにより検出され得る振動のレベルに関する振動検出パターンとの任意の組み合わせパターンを記録し、上記組み合わせパターンに対する上記移動通信機器の移動状態を予め登録し、かつ、上記移動状態に応じた着信動作パターンを予め登録しておくステップと、上記移動通信機器にて着信が生じたときに、上記位置測位検出パターンおよび上記振動センサによりそれぞれ検出された位置測位検出パターンおよび振動検出パターンに基づいて、上記移動通信機器の移動状態を判定するステップと、上記移動状態の判定結果に基づいて、上記移動状態に対応する着信動作パターンを選択するステップと、上記着信動作パターンの選択結果に基づいて、上記着信動作パターンに対応する上記移動通信機器の着信音の音量および振動量の少なくとも一方を設定するステップとを有する。
【００１４】
さらに、本発明の他の態様に係る着信動作制御方法は、移動通信機器内の位置測位センサにより検出され得る上記移動通信機器の位置に関する位置測位測定パターンと、上記移動通信機器内の振動センサにより検出され得る振動のレベルに関する振動測定パターンとの任意の組み合わせパターンを記録し、上記組み合わせパターンに対する上記移動通信機器の移動状態を予め登録し、かつ、上記移動状態に応じた着信動作パターンを予め登録しておくステップと、所定の期間毎に上記位置測位検出パターンおよび上記振動センサによりそれぞれ検出される位置測位検出パターンおよび振動検出パターンに基づいて、上記移動通信機器の移動状態を判定するステップと、上記移動通信機器にて着信が生じたときに、上記移動状態の判定結果に基づいて、上記移動状態に対応する着信動作パターンを選択するステップと、上記着信動作パターンの選択結果に基づいて、上記着信動作パターンに対応する上記移動通信機器の着信音の音量および振動量の少なくとも一方を設定するステップとを有する。
【００１５】
また一方で、本発明は、移動通信機器内の位置測位センサにより検出され得る移動通信機器の位置に関する位置測位検出パターンと、上記移動通信機器内の振動センサにより検出され得る振動のレベルに関する振動検出パターンとの任意の組み合わせパターンに対する上記移動通信機器の移動状態が予め登録され、かつ、上記移動状態に応じた着信動作パターンが予め登録される場合、コンピュータに、上記移動通信機器にて着信が生じたときに、上記位置測位検出パターンおよび上記振動センサによりそれぞれ検出された位置測位検出パターンおよび振動検出パターンに基づいて、移動通信機器の移動状態を判定し、上記移動状態の判定結果に基づいて、上記移動状態に対応する着信動作パターンを選択し、上記着信動作パターンの選択結果に基づいて、上記着信動作パターンに対応する上記移動通信機器の着信音の音量および振動量の少なくとも一方を設定することを実行させるためのプログラムを提供する。
【発明の効果】
【００１６】
要約すれば、本発明では、第１に、移動通信機器に搭載されている位置測位センサおよび振動センサの機能により位置測位測定パターンと振動検出パターンとの組み合わせパターンを記録してそれぞれ対応する着信動作パターンを予め登録しておき、着信が生じたときに、位置測位センサおよび振動センサにより検出された位置測位検出パターンおよび振動検出パターンに基づいて移動通信機器の移動状態を判定し、さらに、この判定された移動状態に対応して選択される着信動作パターンによる着信音の音量もしくはバイブレータの振動量またはその両方を設定するようにしている。
【００１７】
それゆえに、本発明の第１の手法によれば、移動通信機器内の位置測位センサおよび振動センサにより検出される位置測位検出パターンおよび振動検出パターンに基づいて移動通信機器の移動状態を自動的に判定し、さらに、この判定された移動状態に応じて、着信音の音量やバイブレータの振動量を自動的に選択して着信時の動作を実行することが可能になり、周囲の振動や周囲の雑音が大きい場合であっても、移動中の使用者等が着信音やバイブレータの振動に気がつかないという不都合な事態は生じなくなる。
【００１８】
また一方で、本発明では、第２に、移動通信機器に搭載されている位置測位センサおよび振動センサの機能により位置測位測定パターンと振動検出パターンとの組み合わせパターンを記録してそれぞれ対応する着信動作パターンを予め登録しておき、所定の期間毎に位置測位検出パターンおよび振動センサによりそれぞれ検出される位置測位検出パターンおよび振動検出パターンに基づいて移動通信機器の移動状態を定期的に判定しておき、着信が生じたときに、移動通信機器の移動状態に関する定期的な判定結果に基づいて選択される着信音の音量もしくはバイブレータの振動量またはその両方を設定するようにしている。
【００１９】
それゆえに、本発明の第２の手法によれば、移動通信機器内の位置測位センサおよび振動センサにより検出される位置測位検出パターンおよび振動検出パターンに基づいて定期的に判定される移動通信機器の移動状態に応じて、着信音の音量やバイブレータの振動量を自動的に選択して着信時の動作を実行することが可能になり、前述の第１の手法と同様に、移動中の使用者等が着信音やバイブレータの振動に気がつかないという不都合な事態は生じなくなる。さらに、この第２の手法では、着信が生じる前に移動通信機器の移動状態を判定するようにしているので、前述の第１の手法の場合よりも、着信時の着信音の音量やバイブレータの振動量が切り替わるスピードが速くなる。
【発明を実施するための最良の形態】
【００２０】
以下、添付図面（図１〜図８）を参照しながら、本発明の好ましい実施例の構成および動作等を説明する。
【００２１】
図１は、本発明の一実施例に係る着信動作制御装置の構成を示すブロック図である。ただし、ここでは、本発明の一実施例に係る着信動作制御装置１０の構成を簡略化して示す。なお、これ以降、前述した構成要素と同様のものについては、同一の参照番号を付して表すこととする。
【００２２】
図１に示すように、携帯電話機や携帯端末装置等の移動通信機器５においては、通常、キー入力部（例えば、後述の図２参照）から入力されるデータを表示したりデータの送信または受信が行われている様子を表示したりするための表示部５０が設けられている。
【００２３】
さらに、移動通信機器５においては、通常、位置測位センサ６や振動センサ７が搭載されている。ここで、位置測位センサ６は、移動通信機器５の使用者等の位置を計測して位置測位検出パターン（Ｐｐ）を検出する機能を有する。好ましくは、位置測位センサ６は、複数の周回衛星からの電波を受信することによって移動通信機器の使用者の緯度および経度を特定するＧＰＳセンサからなる。より具体的にいえば、位置測位検出パターンとして、それぞれ異なる時刻においてＧＰＳセンサにより特定される複数の緯度および経度に関するデータに基づいて、移動通信機器または当該移動通信機器の使用者の移動速度が算出されるようにしてもよい。また一方で、振動センサ７は、移動通信機器の周囲で発生する振動のレベルを計測して振動検出パターン（Ｐｖ）を検出する機能を有する。
【００２４】
図１の実施例に係る着信動作制御装置１０は、ＲＯＭ（Read-only Memory：リード・オンリ・メモリ）およびＲＡＭ（Random Access Memory：ランダム・アクセス・メモリ ）等の記憶部（メモリ）からなる移動状態／着信動作パターン登録部１を備えている。この移動状態／着信動作パターン登録部１は、位置測位センサ６および振動センサ７によりそれぞれ検出されることが可能な位置測位検出パターンと振動検出パターンとの任意の組み合わせによる組み合わせパターン（Ｐｃ）を記録する組み合わせパターン記録手段１２と、この組み合わせパターン記録手段１２に記録された任意の組み合わせパターンに対する移動通信機器の使用者の移動状態を予め登録しておく移動状態登録テーブル１４と、この移動状態登録テーブル１４に登録されている移動通信機器の使用者の移動状態に応じた着信動作パターン（Ｐｍ）を予め登録しておく着信動作パターン登録テーブル１６とを具備する。
【００２５】
さらに、図１の着信動作制御装置１０は、移動状態判定部２と、着信動作パターン選択部３と、着信音音量／振動量設定部４とを備えている。ここで、移動状態判定部２は、移動通信機器５にてデータの着信があったときに（データが受信されたときに）、位置測位センサ６および振動センサ７により実際に検出された位置測位検出パターンおよび振動検出パターンを参照することによって、移動通信機器５の使用者等の移動状態を判定する機能を有する。また一方で、着信動作パターン選択部３は、移動状態判定部２による判定結果（Ｒｄ）を参照しながら、移動通信機器５の使用者の移動状態に対応する着信動作パターンを着信動作パターン登録テーブル１６から選択する機能を有する。また一方で、着信音音量／振動量設定部４は、着信動作パターン選択部３により選択された着信動作パターン（Ｒｓ）を参照しながら、この着信動作パターンに対応する移動通信機器５の着信音の音量もしくはバイブレータ等の振動量またはその両方を設定する機能を有する。後述のように、上記の移動状態判定部２、着信動作パターン選択部３および着信音音量／振動量設定部４の機能は、コンピュータまたはコンピュータシステムのＣＰＵ（Central Processing Unit ：中央演算処理装置）により実現される。
【００２６】
ついで、図１の着信動作制御装置１０による一連の動作を簡単に説明する。
まず、移動状態／着信動作パターン登録部１内の組み合わせパターン記録手段１２は、位置測位センサ６および振動センサ７により検出可能な位置測位検出パターンと振動検出パターンとの任意の組み合わせを想定して組み合わせパターンを記録する。つぎに、移動状態登録テーブル１４は、組み合わせパターン記録手段１２に記録された組み合わせパターンに対する移動通信機器の使用者の移動状態を予め登録しておく。さらに、着信動作パターン登録テーブル１６は、移動状態登録テーブル１４に登録されている移動状態に応じた着信動作パターンを予め登録しておく。
【００２７】
ここで、移動通信機器５に対して着信があったときに、移動状態判定部２は、位置測位センサ６および振動センサ７により検出された位置測位検出パターンおよび振動検出パターンに基づいて、移動通信機器５の使用者の移動状態を判定する。さらに、着信動作パターン選択部３は、移動状態判定部２の判定結果に基づいて、移動通信機器５の使用者の移動状態に対応する着信動作パターンを選択する。最終的に、着信音音量／振動量設定部４は、着信動作パターン選択部３により選択された着信動作パターンに対応する移動通信機器５の着信音の音量またはバイブレータ等の振動量を設定して着信動作を実行する。
【００２８】
図１の実施例によれば、移動通信機器内の位置測位センサおよび振動センサにより検出される位置測位検出パターンおよび振動検出パターンに基づいて移動通信機器の移動状態を自動的に判定し、さらに、この判定された移動状態に応じて、着信音の音量やバイブレータ等の振動量を自動的に選択して着信時の動作を実行することが可能になり、移動中の使用者が着信音やバイブレータ等の振動に気がつかないといったような事態は回避される。
【００２９】
さらに、図１の実施例の代替的な例として、移動通信機器５に対して着信があったときに位置測位センサ６および振動センサ７により位置測位検出パターンおよび振動検出パターンを検出する代わりに、一定の期間毎に位置測位センサ６および振動センサ７によりそれぞれ検出される位置測位検出パターンおよび振動検出パターンに基づいて、移動通信機器５の移動状態を定期的に判定しておくことも可能である。この場合には、移動通信機器５に対して着信があったときに、移動通信機器５の移動状態に関する定期的な判定結果に基づいて選択される着信音の音量またはバイブレータの振動量を設定するようにしている。
【００３０】
上記の代替的な例によれば、移動通信機器に対して着信が生じる前に移動通信機器の移動状態を定期的に判定するようにしているので、前述の図１の実施例の場合よりも、着信時の着信音の音量やバイブレータの振動量が切り替わるスピードが速くなる。
【００３１】
図２は、図１の着信動作制御装置を含むコンピュータシステムの構成を示すブロック図である。ただし、ここでは、図１の着信動作制御装置を含むコンピュータシステム１００を携帯電話機や携帯端末装置等の移動通信機器５に適用した場合のハードウェアの構成を簡略化して示す。このようなコンピュータシステムの各々の構成要素は、実際には移動通信機器５の内部に設けられているが、ここでは、説明の都合上、位置測位センサ６および振動センサ７以外の構成要素を移動通信機器５の外部に示すこととする。
【００３２】
図２のコンピュータシステム１００は、Ｗ−ＣＤＭＡ方式を使用して高周波信号の送信処理および受信処理を行う無線送受信部８と、この無線送受信部８から送出される高周波信号に含まれるデータに対して各種の演算処理を行ったり使用者等がキー入力部９を操作して入力されるデータを処理したりするＣＰＵ２０と、本発明の着信動作制御フローを実行するための各種のプログラム（ソフトウェア）を含む各種のデータを格納する記憶部（メモリ）１１とを備えている。この記憶部１１は、ＲＯＭおよびＲＡＭ等により構成されているが、記憶部１１の代わりに、ＣＰＵ２０に内蔵のＲＯＭおよびＲＡＭを使用することも可能である。
【００３３】
さらに、図２のコンピュータシステム１００は、移動通信機器５を振動させて着信があったことを使用者等に知らせるためのバイブレータ２１と、着信音を鳴動させて着信があったことを使用者等に知らせるためのスピーカ２２と、前述の図１の場合と同様の表示部５０とを備えている。
【００３４】
好ましくは、前述の図１の移動状態判定部２、着信動作パターン選択部３および着信音音量／振動量設定部４の機能は、図２のＣＰＵ２０により実現される。より具体的にいえば、図２の記憶部１１のＲＯＭ等に格納されている着信動作制御用のプログラム、およびＲＡＭ等に格納されているプログラム実行に必要な各種のデータをＣＰＵ２０により読み出して上記プログラムを実行させることによって、移動状態判定部２、着信動作パターン選択部３および着信音音量／振動量設定部４に相当する機能が実現される。
【００３５】
このＣＰＵ２０の動作によって、移動通信機器に対して着信があったときに、位置測位検出パターンと振動検出パターンとの組み合わせパターンに基づいて使用者等の移動状態を判定し、さらに、この判定された移動状態に対応して選択される着信動作パターンに従ってスピーカ２２の音量もしくはバイブレータ２１の振動量またはその両方を適切に制御することが可能になる。
【００３６】
図３は、図１の移動状態登録テーブルの具体例を示すデータフォーマット図であり、図４は、図１の着信動作パターン登録テーブルの具体例を示すデータフォーマット図である。
【００３７】
前述のように、移動通信機器５に搭載されている位置測位センサ６および振動センサ７により検出可能な位置測位検出パターン（Ｐｐ）と振動検出パターン（Ｐｖ）との任意の組み合わせによる組み合わせパターンが、組み合わせパターン記録手段１２に記録される。さらに、組み合わせパターン記録手段１２に記録された組み合わせパターン（Ｐｃ）に対応する使用者等の移動状態が、移動状態登録テーブル１４に登録される。
【００３８】
図３の移動状態登録テーブル１４の具体例では、移動通信機器５の使用者の移動状態が「ジョギング中」および「散歩中」である場合の２種類の移動状態に対して、位置測位検出パターンと振動検出パターンとの組み合わせによる任意の組み合わせパターンがそれぞれ登録されている。例えば、使用者が「ジョギング中」である場合を想定して、位置測位検出パターンＡと振動検出パターンＡとの組み合わせによる組み合わせパターンが登録されており、使用者が「散歩中」である場合を想定して、位置測位検出パターンＢと振動検出パターンＢとの組み合わせによる組み合わせパターンが登録されている。
【００３９】
ここで、使用者が「ジョギング中」である場合は、「散歩中」である場合よりも移動通信機器（または移動通信機器の使用者）の移動速度が大きく、かつ、周囲の振動のレベルも大きい。それゆえに、位置測位検出パターンＡにより表される移動通信機器の移動速度は、位置測位検出パターンＢにより表される移動通信機器の移動速度よりも大きくなっており、振動検出パターンＡにより表される周囲の振動のレベルは、振動検出パターンＢにより表される周囲の振動のレベルよりも大きくなっている。なお、移動状態登録テーブル１４における使用者の移動状態は、上記２種類の移動状態に限定されるものではなく、その他の多くの移動状態が考えられる。例えば、使用者（運転者）が「走行中」である場合には、「ジョギング中」である場合よりも移動通信機器（または移動通信機器の使用者）の移動速度がさらに大きくなり、かつ、周囲の振動のレベルも顕著に大きくなる。
【００４０】
図４の着信動作パターン登録テーブル１６の具体例では、移動通信機器の使用者の移動状態が「ジョギング中」および「散歩中」である場合の２種類の移動状態に応じて、着信動作パターンがそれぞれ登録されている。例えば、使用者が「ジョギング中」である場合には、周囲の振動のレベルが相対的に大きいので、移動通信機器の着信音の音量を大きな値に設定し（着信音の音量Ａ）、かつ、バイブレータの振動量を大きな値に設定するようにしている（バイブレータの振動量Ａ）。また一方で、使用者が「散歩中」である場合には、周囲の振動のレベルが相対的に小さいので、移動通信機器の移動通信機器の着信音の音量を０（ゼロ）に設定する（着信音の音量無し）ようにしている。ただし、バイブレータの振動量に関しては、前述の「ジョギング中」の場合よりも小さな値であって使用者が「静止中」の場合よりも大きな値に設定するようにしている（バイブレータの振動量Ｂ）。なお、使用者（運転者）が走行中である場合には、周囲の振動のレベルが顕著に大きくなるので、移動通信機器の着信音の音量をほぼ最大値に設定すると共に、バイブレータの振動量をほぼ最大値に設定することが必要である。
【００４１】
図５は、本発明の第１の着信動作制御フローを説明するためのフローチャートである。ここでは、着信動作制御装置のＣＰＵ（図２参照）等を動作させることで、移動通信機器の使用者の移動状態に応じて着信音の音量またはバイブレータの振動量を設定する処理を行うフローを説明する。この場合、着信動作制御装置の移動状態／着信動作パターン登録部（図２参照）によって、位置測位検出パターンと振動検出パターンとの任意の組み合わせパターンに対する移動通信機器の使用者の移動状態が予め登録されると共に、移動状態登録テーブルに登録されている移動通信機器の使用者の移動状態に応じた着信動作パターンが予め登録されているものとする。
【００４２】
まず、ステップＳ１１において、移動通信機器に対して着信があったときに、ステップＳ１２に示すように、移動通信機器内の位置測位センサによって移動通信機器の使用者の位置が計測され、位置測位検出パターンが検出される。また一方で、移動通信機器内の振動センサによって移動通信機器の周囲の振動のレベルが計測され、振動検出パターンが検出される。
【００４３】
つぎに、ステップＳ１３において、位置測位センサおよび振動センサにより検出された位置測位検出パターンおよび振動検出パターンに基づいて、移動通信機器の使用者の移動状態が判定される。
【００４４】
さらに、ステップＳ１４において、移動通信機器の使用者の移動状態の判定結果に基づいて、使用者の移動状態に対応する着信動作パターンが、移動状態／着信動作パターン登録部から選択される。
【００４５】
さらに、ステップＳ１５において、移動状態／着信動作パターン登録部から選択された着信動作パターンに対応する着信音の音量またはバイブレータ等の振動量が設定される。このようにして設定された着信音の音量またはバイブレータ等の振動量に従って着信音を鳴動させたりバイブレータを鳴動（振動）させたりすることによって、移動通信機器に対する適切な着信動作が実行される。
【００４６】
図５のフローチャートによれば、移動通信機器内の位置測位センサおよび振動センサの機能により移動通信機器の使用者の移動状態をＣＰＵにて判定し、さらに、この判定された移動状態に応じて、着信音の音量やバイブレータ等の振動量を設定して適切な着信動作を実行することが可能になり、移動中の使用者が着信音やバイブレータ等の振動に気がつかないといったような事態は回避される。
【００４７】
図６は、本発明の第２の着信動作制御フローを説明するためのフローチャートである。ここでは、着信動作制御装置のＣＰＵ（図２参照）等を動作させることで、移動通信機器の使用者の移動状態に応じて、一度設定された着信音の音量またはバイブレータの振動量を変更する処理を行うフローを説明する。
【００４８】
まず、ステップＳ２１において、移動通信機器に対して着信があったときに、ステップＳ２２に示すように、前述の図５の着信動作制御フロー等によって設定されている着信音の音量またはバイブレータの振動量に従って、着信音が鳴動すると共にバイブレータが鳴動する。
【００４９】
つぎに、ステップＳ２３において、移動通信機器内の位置測位センサによって移動通信機器の使用者の位置が再度計測され、新たな位置測位検出パターンが検出される。また一方で、移動通信機器内の振動センサによって移動通信機器の周囲の振動のレベルが再度計測され、新たな振動検出パターンが検出される。
【００５０】
つぎに、ステップＳ２４において、位置測位センサおよび振動センサにより検出された新たな位置測位検出パターンおよび振動検出パターンに基づいて、移動通信機器の使用者の移動状態が再度判定される。
【００５１】
さらに、ステップＳ２５において、移動通信機器の使用者の移動状態の再判定結果に基づいて、使用者の移動状態に対応する着信動作パターンが、移動状態／着信動作パターン登録部から選択される。
【００５２】
さらに、ステップＳ２６において、移動状態／着信動作パターン登録部から選択された着信動作パターンに従って、一度設定された着信音の音量またはバイブレータ等の振動量が変更される。このようにして変更された着信音の音量またはバイブレータ等の振動量に従って着信音を鳴動させたりバイブレータを鳴動させたりすることによって、移動通信機器に対する設定変更後の着信動作が実行される。
【００５３】
図６のフローチャートによれば、移動通信機器内の位置測位センサおよび振動センサの機能により移動通信機器の使用者の移動状態をＣＰＵにて再度判定し、さらに、このようにして再度判定された移動状態に応じて、一度設定された着信音の音量やバイブレータ等の振動量を適宜変更することが可能になる。
【００５４】
図７は、本発明の第３の着信動作制御フローを説明するためのフローチャートである。ここでも、前述の図５および図６のフローチャートと同様に、着信動作制御装置のＣＰＵ（図２参照）等を動作させることで、移動通信機器の使用者の移動状態に応じて着信音の音量またはバイブレータの振動量を設定する処理を行うフローを説明する。この場合も、前述の図５および図６のフローチャートと同様に、着信動作制御装置の移動状態／着信動作パターン登録部（図２参照）によって、位置測位検出パターンと振動検出パターンとの組み合わせパターンに対する移動通信機器の使用者の移動状態が予め登録されると共に、移動状態登録テーブルに登録されている移動通信機器の使用者の移動状態に応じた着信動作パターンが予め登録されているものとする。
【００５５】
まず、ステップＳ３１に示すように、一定の期間毎に移動通信機器内の位置測位センサによって移動通信機器の使用者の位置が計測され、位置測位検出パターンが定期的に検出される。また一方で、一定の期間毎に移動通信機器内の振動センサによって移動通信機器の周囲の振動のレベルが計測され、振動検出パターンが定期的に検出される。
【００５６】
つぎに、ステップＳ３２において、位置測位検出パターンおよび振動センサによりそれぞれ定期的に検出される位置測位検出パターンおよび振動検出パターンに基づいて、移動通信機器の使用者の移動状態が定期的に判定される。
【００５７】
さらに、ステップＳ３３において、移動通信機器に対して着信があったときに、ステップＳ３４に示すように、移動通信機器の使用者の移動状態の定期的な判定結果に基づいて、使用者の移動状態に対応する着信動作パターンが、移動状態／着信動作パターン登録部から選択される。
【００５８】
さらに、ステップＳ３５において、移動状態／着信動作パターン登録部から選択された着信動作パターンに対応する着信音の音量またはバイブレータ等の振動量が設定される。このようにして設定された着信音の音量またはバイブレータ等の振動量に従って着信音を鳴動させたりバイブレータを鳴動させたりすることによって、移動通信機器に対する適切な着信動作が実行される。
【００５９】
図７のフローチャートによれば、移動通信機器に対して着信が生じる前に移動通信機器の移動状態を定期的に判定するようにしているので、前述の図５および図６の着信動作制御フローの場合よりも、着信時の着信音の音量やバイブレータの振動量が切り替わるスピードが速くなる。
【００６０】
図８は、本発明の第４の着信動作制御フローを説明するためのフローチャートである。ここでは、前述の図７の着信動作制御フローの変形例を説明する。
【００６１】
まず、ステップＳ４１に示すように、一定の期間毎に移動通信機器内の位置測位センサによって移動通信機器の使用者の位置が計測され、位置測位検出パターンが定期的に検出される。また一方で、一定の期間毎に移動通信機器内の振動センサによって移動通信機器の周囲の振動のレベルが計測され、振動検出パターンが定期的に検出される。このステップＳ４１の処理内容は、前述の図７のフローチャートにおけるステップＳ３１の処理内容と実質的に同じである。
【００６２】
つぎに、ステップＳ４２において、位置測位検出パターンおよび振動センサによりそれぞれ定期的に検出される位置測位検出パターンおよび振動検出パターンに基づいて、移動通信機器の使用者の移動状態が定期的に判定される。このステップＳ４２の処理内容は、前述の図７のフローチャートにおけるステップＳ３２の処理内容と実質的に同じである。
【００６３】
さらに、ステップＳ４３において、移動通信機器に対して着信が生じる前に、移動通信機器の使用者の移動状態の定期的な判定結果に基づいて、使用者の移動状態に対応する着信動作パターンが、移動状態／着信動作パターン登録部から選択される。
【００６４】
さらに、ステップＳ４４において、移動通信機器に対して着信があったときに、ステップＳ４５に示すように、着信前に選択済みの着信動作パターンに対応する着信音の音量またはバイブレータ等の振動量が直ちに設定される。このようにして設定された着信音の音量またはバイブレータ等の振動量に従って着信音を鳴動させたりバイブレータを鳴動させたりすることによって、移動通信機器に対する適切な着信動作が実行される。
【００６５】
図８のフローチャートによれば、移動通信機器に対して着信が生じる前に移動通信機器の移動状態を定期的に判定し、さらに、この判定された移動状態に応じて、使用者の移動状態に対応する着信動作パターンを予め選択しておくようにしているので、前述の図７の着信動作制御フローの場合よりも、着信時の着信音の音量やバイブレータの振動量が切り替わるスピードがさらに速くなる。
【００６６】
（付記１）移動通信機器内の位置測位センサにより検出され得る移動通信機器の位置に関する位置測位検出パターンと、前記移動通信機器内の振動センサにより検出され得る振動のレベルに関する振動検出パターンとの任意の組み合わせパターンを記録し、前記組み合わせパターンに対する前記移動通信機器の移動状態を予め登録し、かつ、前記移動状態に応じた着信動作パターンを予め登録しておく移動状態／着信動作パターン登録部と、
前記移動通信機器にて着信が生じたときに、前記位置測位検出パターンおよび前記振動センサによりそれぞれ検出された位置測位検出パターンおよび振動検出パターンに基づいて、前記移動通信機器の移動状態を判定する移動状態判定部と、
前記移動状態判定部による判定結果に基づいて、前記移動状態に対応する着信動作パターンを前記移動状態／着信動作パターン登録部から選択する着信動作パターン選択部と、
前記着信動作パターン選択部による選択結果に基づいて、前記着信動作パターンに対応する前記移動通信機器の着信音の音量および振動量の少なくとも一方を設定する着信音音量／振動量設定部とを備えることを特徴とする着信動作制御装置。
【００６７】
（付記２）それぞれ異なる時刻において前記位置測位センサにより検出される複数の位置測位検出パターンに基づいて、前記移動通信機器の移動速度が算出されるようになっていることを特徴とする付記１記載の着信動作制御装置。
【００６８】
（付記３）移動通信機器内の位置測位センサにより検出され得る移動通信機器の位置に関する位置測位測定パターンと、前記移動通信機器内の振動センサにより検出され得る振動のレベルに関する振動測定パターンとの任意の組み合わせパターンを記録し、前記組み合わせパターンに対する前記移動通信機器の移動状態を予め登録し、かつ、前記移動状態に応じた着信動作パターンを予め登録しておく移動状態／着信動作パターン登録部と、
所定の期間毎に前記位置測位検出パターンおよび前記振動センサによりそれぞれ検出される位置測位検出パターンおよび振動検出パターンに基づいて、前記移動通信機器の移動状態を判定する移動状態判定部と、
前記移動通信機器にて着信が生じたときに、前記移動状態判定部による判定結果に基づいて、前記移動状態に対応する着信動作パターンを前記移動状態／着信動作パターン登録部から選択する着信動作パターン選択部と、
前記着信動作パターン選択部による選択結果に基づいて、前記着信動作パターンに対応する前記移動通信機器の着信音の音量および振動量の少なくとも一方を設定する着信音音量／振動量設定部とを備えることを特徴とする着信動作制御装置。
【００６９】
（付記４）それぞれ異なる時刻において前記位置測位センサにより検出される複数の位置測位検出パターンに基づいて、前記移動通信機器の移動速度が算出されるようになっていることを特徴とする付記３記載の着信動作制御装置。
【００７０】
（付記５）移動通信機器の着信音の音量および振動量を制御して着信動作を実行するための着信動作制御方法であって、
移動通信機器内の位置測位センサにより検出され得る前記移動通信機器の位置に関する位置測位検出パターンと、前記移動通信機器内の振動センサにより検出され得る振動のレベルに関する振動検出パターンとの任意の組み合わせパターンを記録し、前記組み合わせパターンに対する前記移動通信機器の移動状態を予め登録し、かつ、前記移動状態に応じた着信動作パターンを予め登録しておくステップと、
前記移動通信機器にて着信が生じたときに、前記位置測位検出パターンおよび前記振動センサによりそれぞれ検出された位置測位検出パターンおよび振動検出パターンに基づいて、前記移動通信機器の移動状態を判定するステップと、
前記移動状態の判定結果に基づいて、前記移動状態に対応する着信動作パターンを選択するステップと、
前記着信動作パターンの選択結果に基づいて、前記着信動作パターンに対応する前記移動通信機器の着信音の音量および振動量の少なくとも一方を設定するステップとを有することを特徴とする着信動作制御方法。
【００７１】
（付記６）それぞれ異なる時刻において前記位置測位センサにより検出される複数の位置測位検出パターンに基づいて、前記移動通信機器の移動速度が算出されるようになっていることを特徴とする付記５記載の着信動作制御方法。
【００７２】
（付記７）移動通信機器の着信音の音量および振動量を制御して着信動作を実行するための着信動作制御方法であって、
移動通信機器内の位置測位センサにより検出され得る前記移動通信機器の位置に関する位置測位測定パターンと、前記移動通信機器内の振動センサにより検出され得る振動のレベルに関する振動測定パターンとの任意の組み合わせパターンを記録し、前記組み合わせパターンに対する前記移動通信機器の移動状態を予め登録し、かつ、前記移動状態に応じた着信動作パターンを予め登録しておくステップと、
所定の期間毎に前記位置測位検出パターンおよび前記振動センサによりそれぞれ検出される位置測位検出パターンおよび振動検出パターンに基づいて、前記移動通信機器の移動状態を判定するステップと、
前記移動通信機器にて着信が生じたときに、前記移動状態の判定結果に基づいて、前記移動状態に対応する着信動作パターンを選択するステップと、
前記着信動作パターンの選択結果に基づいて、前記着信動作パターンに対応する前記移動通信機器の着信音の音量および振動量の少なくとも一方を設定するステップとを有することを特徴とする着信動作制御方法。
【００７３】
（付記８）それぞれ異なる時刻において前記位置測位センサにより検出される複数の位置測位検出パターンに基づいて、前記移動通信機器の移動速度が算出されるようになっていることを特徴とする付記７記載の着信動作制御方法。
【００７４】
（付記９）移動通信機器内の位置測位センサにより検出され得る移動通信機器の位置に関する位置測位検出パターンと、前記移動通信機器内の振動センサにより検出され得る振動のレベルに関する振動検出パターンとの任意の組み合わせパターンに対する前記移動通信機器の移動状態が予め登録され、かつ、前記移動状態に応じた着信動作パターンが予め登録される場合、コンピュータに、
前記移動通信機器にて着信が生じたときに、前記位置測位検出パターンおよび前記振動センサによりそれぞれ検出された位置測位検出パターンおよび振動検出パターンに基づいて、移動通信機器の移動状態を判定し、
前記移動状態の判定結果に基づいて、前記移動状態に対応する着信動作パターンを選択し、
前記着信動作パターンの選択結果に基づいて、前記着信動作パターンに対応する前記移動通信機器の着信音の音量および振動量の少なくとも一方を設定することを実行させるためのプログラム。
【００７５】
（付記１０）移動通信機器内の位置測位センサにより検出され得る移動通信機器の位置に関する位置測位検出パターンと、前記移動通信機器内の振動センサにより検出され得る振動のレベルに関する振動検出パターンとの任意の組み合わせパターンに対する前記移動通信機器の移動状態が予め登録され、かつ、前記移動状態に応じた着信動作パターンが予め登録される場合、コンピュータに、
所定の期間毎に前記位置測位検出パターンおよび前記振動センサによりそれぞれ検出される位置測位検出パターンおよび振動検出パターンに基づいて、前記移動通信機器の移動状態を判定し、
前記移動通信機器にて着信が生じたときに、前記移動状態の判定結果に基づいて、前記移動状態に対応する着信動作パターンを選択し、
前記着信動作パターンの選択結果に基づいて、前記着信動作パターンに対応する前記移動通信機器の着信音の音量および振動量の少なくとも一方を設定することを実行させるためのプログラム。
【産業上の利用可能性】
【００７６】
本発明は、着信があったときに、移動通信機器内の位置測位センサおよび振動センサにより検出される位置測位検出パターンおよび振動検出パターンに基づいて移動通信機器の移動状態を自動的に判定し、さらに、この移動状態に対応して選択される着信動作パターンによる着信音の音量またはバイブレータの振動量を自動的に設定することができるような、Ｗ−ＣＤＭＡ形式で使用される携帯電話機や携帯端末装置等の移動通信機器に適用される。
【図面の簡単な説明】
【００７７】
【図１】本発明の一実施例に係る着信動作制御装置の構成を示すブロック図である。
【図２】図１の着信動作制御装置を含むコンピュータシステムの構成を示すブロック図である。
【図３】図１の移動状態登録テーブルの具体例を示すデータフォーマット図である。
【図４】図１の着信動作パターン登録テーブルの具体例を示すデータフォーマット図である。
【図５】本発明の第１の着信動作制御フローを説明するためのフローチャートである。
【図６】本発明の第２の着信動作制御フローを説明するためのフローチャートである。
【図７】本発明の第３の着信動作制御フローを説明するためのフローチャートである。
【図８】本発明の第４の着信動作制御フローを説明するためのフローチャートである。
【符号の説明】
【００７８】
１    移動状態／着信動作パターン登録部
２    移動状態判定部
３    着信動作パターン選択部
４    着信音音量／振動量設定部
５    移動通信機器
６    位置測位センサ
７    振動センサ
８    無線送受信部
９    キー入力部
１０    着信動作制御装置
１１    記憶部
１２    組み合わせパターン記録手段
１４    移動状態登録テーブル
１６    着信動作パターン登録テーブル
２０    ＣＰＵ（中央演算処理装置）
２１    バイブレータ
２２    スピーカ
５０    表示部
１００    コンピュータシステム
【図１】
2007300346.tif 000003
【図２】
2007300346.tif 000004
【図３】
2007300346.tif 000005
【図４】
2007300346.tif 000006
【図５】
2007300346.tif 000007
【図６】
2007300346.tif 000008
【図７】
2007300346.tif 000009
【図８】
2007300346.tif 000010